(57)【要約】【課題】背筋を伸ばして姿勢を正しく保つ効果を有し、しかも身体の動きを拘束することのない、整形衣料を提供する。【解決手段】上半身胸部を覆うカップ部を設けた前身頃、及び背部を覆う後身頃を有し、前記後身頃裏面に、後身頃袖刳上縁より襟刳りに近接し、背部中心線近くでＣ字状に屈曲しウエスト下端脇下に至る強伸縮性素材よりなり、強伸縮性素材が後身頃縦方向への伸縮性を有する弓型緊締帯を、左右の肩甲骨に沿って設けた。【選択図】  図２
0003146561.tif 000002
【実用新案登録請求の範囲】
【請求項１】
上半身胸部を覆う前身頃及び背部を覆う後身頃を有する婦人用整形衣料において、前記後身頃裏面に、後身頃袖刳上縁より襟刳りに近接し、背部中心線近くでＣ字状に屈曲し後身頃下端脇下に至る強伸縮性素材よりなる弓型緊締帯を、左右の肩甲骨に沿って設けてなる整形衣料。
【請求項２】
前記弓型緊締帯の強伸縮性素材が、後身頃縦方向への伸縮性を有し、後身頃中心線を中心とし、左右弓型緊締帯が間隔を置いて対称的に配置されている請求項１に記載の整形衣料。
【請求項３】
前記弓型緊締帯の強伸縮性素材が、弾性糸を挿入してなる縦編地である請求項１または請求項２に記載の整形衣料。 
【考案の詳細な説明】
【技術分野】
【０００１】
本考案は、背筋を伸ばし姿勢を正しく保つための整形衣料に関する。整形衣料は、スポーツ用ブラジャー、タンクトップ、キャミソール、ハーフトップ等を含むものである。
【背景技術】
【０００２】
従来、女性の使用するブラジャーとして、乳房を保持し、胸部を美しく整えるために、種々の形状のものが提案されている。ブラジャーとキャミソールを合わせた機能を有する、所謂ハーフトップと言われるソフトな肌着は、着心地が良いため好まれるようになった。ハーフトップを弾性糸を主体とする筒状編地で編成し、部分的に伸縮性を調整すると共に、アンダーバスト帯を幅広に形成することが提案されている。（特許文献１）
【０００３】
肌着のみでなく上衣としても使用できるハーフトップは、ウォーキング、エアロビクス等のフィットネス運動等に広く使用されるようになった。しかしながら、従来のハーフトップは、バスト部においてブラジャーのような補形、美容上の観点から工夫されたものが多く、上半身の姿勢を正しい状態に保つことができ、しかも縫い目の少ない伸縮性の衣料は知られていない。
【特許文献１】特開２００１−８１６０２号公報
【考案の開示】
【考案が解決しようとする課題】
【０００４】
本考案は、日常生活にも、運動時にも使用することができ、着心地が良く、背筋を伸ばして姿勢を正しく保つ効果を有し、しかも身体の動きを拘束することのない、整形衣料を提供することを目的とする。本考案の整形衣料の着用により、背筋を強化し、加齢による背部の変形、屈曲を防止することが可能となる。尚、本考案における整形衣料とは、外科的医療効果を目的とするものではなく、美容上体型を整える機能を有する衣料を意味する。
【課題を解決するための手段】
【０００５】
本考案の整形衣料は、上半身胸部を覆う前身頃及び背部を覆う後身頃を有し、前記後身頃裏面に、後身頃袖刳上縁より襟刳りに近接し、背部中心線近くでＣ字状に屈曲し後身頃下端脇下に至る強伸縮性素材よりなる弓型緊締帯を、左右の肩甲骨に沿って設けた。前記弓型緊締帯の強伸縮性素材は、後身頃縦方向への伸縮性を有し、後身頃中心線を中心とし、左右弓型緊締帯が間隔を置いて対称的に配置されている。弓型緊締帯の強伸縮性素材は、弾性糸を挿入してなる経編地であることができる。
【考案の効果】
【０００６】
本考案の整形衣料は、カップ部を有する前身頃と、後身頃とよりなり、縦方向に伸縮性を有する二枚の弓形の強伸縮性素材を、後身頃中心線を中心として左右肩甲骨に沿うように後身頃に設けた。この背部に設けた強伸縮性素材により、整形衣料であるハーフトップの着用者は、背部分が前方に屈曲変形するのを防止し、また、背筋力を強化することも可能である。本考案の整形衣料は、ハーフトップとして肌着としてばかりでなく、上衣として着用することができる外観と、柔らかい着用感を有し、日常的に使用可能な衣料である。
【考案を実施するための最良の形態】
【０００７】
本考案の整形衣料を、ハーフトップを例として具体的に説明する。
図１は、本考案の実施態様を示すハーフトップ本体１の前身頃２を示す正面図、図２はハーフトップ本体１の後身頃３を示す背面図である。
前身頃２は、ブラジャーとしての機能を有するものであれば、特に限定されるものではない。図１に示す前身頃２には、乳房を被覆する左右カップ部４、４と、襟刳５との間にカップ支持布６，６、中央部片７、カップ下布８、前身頃脇部布片９，９が設けられている。
【０００８】
カップ支持布６，６、中央布片７としては、伸縮性と通気性を有する伸縮性ネット地を使用する。左右カップ部４，４の表地としては、サテン編みの編地を使用し、カップ部４，４の裏地としては、吸水水性のある綿天竺を用いることが好ましい。カップ下布８，前身頃脇部布片９，９も、カップ下布８と同様に、吸水性のある綿混紡タイプの布地を使用する。
【０００９】
前身頃２及び後身頃３の襟刳５は、伸縮性テープ１０によって処理し、袖刳１１も常法によって伸縮性テープ等を縫着することにより処理する。図２に示したハーフトップ本体１の後身頃３に使用する布地は、前身頃脇部布片９，９から連続して、又は脇線１２で切替えて、伸縮性と通気性を有する伸縮性ネット地を使用することが好ましい。
【００１０】
本考案の整形衣料の特徴は、後身頃３の構成にある。後身頃３の表地１３は、上記のように伸縮性ネット地で平面状に形成されるが、後身頃地１３の裏面に、左右の肩甲骨に沿って設けられた弓状緊締帯１４を縫着する。この弓状緊締帯１４は、後身頃袖刳上縁１５から襟刳５に近接し、背部中心線Ａ−Ａ近くでＣ字状に屈曲し、後身頃３の下端縁１６の脇下部１７に至る弓型に構成される。この弓状緊締帯１４は、背部中心線Ａ−Ａを中心とし、左右肩甲骨に沿って間隔を置いて対称的に後身頃３の裏面に形成される。本考案において、上記の弓状緊締帯１４の配置、構成が重要である。これら２本の弓状緊締帯１４、１４は、後身頃裏地に間隔をおいて接合されているので、左右の腕の動きにそれぞれ対応することができ、上半身の動きを阻害することなくそれぞれが背部を引き寄せ、背中が前方に湾曲するのを防止し、姿勢を正しく保つ効果を有する。
【００１１】
弓状緊締帯１４は、強伸縮性素材で形成される。強伸縮性素材は、編地、織地、シート等特に限定はされず、後身頃３への固着方法も任意である。しかしながら、編地とした場合の一例を図３によって説明する。例えば、ポリエステルフィラメント１８を用いて編成された経編メッシュ地に、強伸縮性を有するポリウレタン糸１９を挿入して編成することによって得られる。図３Ａは、地編となる経編メッシュ地の組織図であり、図３Ｂは、ポリウレタン弾性糸１９の挿入方法を示す図である。また、本考案の整形衣料は、織り地を使用してもよく、編地とした場合も、編成に用いる糸は上記の糸に限定されるものではなく、適宜選択し伸縮性を調整して使用することができる。
【産業上の利用可能性】
【００１２】
本考案のハーフトップには、縫い目が少ないので肌触りがよく、身体にフィットする。本考案の整形衣料は、上記のように、強い緊締力を有する背部に設けた弓状緊締帯を有するので、着用者は、背中の前方への湾曲が防止され、背筋力も鍛えられることになり、しかも幅広い年齢層の人々が使用して好ましい効果を得ることのできる衣料である。
【図面の簡単な説明】
【００１３】
【図１】本考案ハーフトップの前身頃を示す正面図である。
【図２】図１に示したハーフトップの後見頃を示す裏面図である。
【図３】Ａ、Ｂは、弓状緊締帯の一例を示す組織図である。
【符号の説明】
【００１４】
１  ハーフトップ本体
２  前身頃
３  後身頃
４  カップ部
５  襟刳
６  カップ支持布
７  中央布片
８  カップ下布
９  前身頃脇部布片
１０  伸縮性テープ
１１  袖刳
１２  脇線
１３  後身頃地
１４  弓状緊締帯
１５  後身頃袖刳上縁部
１６  後身頃下端縁
１７  脇下部
１８  ポリエステルフィラメント
１９  ポリウレタン糸
Ａ−Ａ  背部中心線
【図１】
0003146561.tif 000003
【図２】
0003146561.tif 000004
【図３】
0003146561.tif 000005